【手続補正書】
【提出日】令和2年11月3日(2020.11.3)
【手続補正１】
【補正対象書類名】特許請求の範囲
【補正対象項目名】全文
【補正方法】変更
【補正の内容】
【特許請求の範囲】
【請求項１】
水中に生息する鮫等の人的被害或いは食害を齎す生物を忌避する装置であって、
防水性を持つ部材に封入された電源装置と、
該防水性を持つ部材の外面の一部或いは全部に設けられた電極と、
該防水性を持つ部材から延伸する対向電極を備えた紐状の部材と、
該電源装置からの通電をオンオフするスイッチを備え、
水中に投入、身体や装具に装着或いはレジャー器具等に装備して該電極間に電圧及び／又は電流を印加することにより、
水中に生息する鮫等の人的被害或いは食害を齎す生物を忌避する装置。
【請求項２】
水中に生息する鮫等の人的被害或いは食害を齎す生物を忌避する装置であって、
防水性を持つ部材に封入された電源装置と、
該防水性を持つ部材の外面の一部に設けられた電極と、
該防水性を持つ部材の外面の他の一部に設けられた対向電極と、
該電源装置からの通電をオンオフするスイッチを備え、
水中に投入、身体や装具に装着或いはレジャー器具等に装備して該電極間に電圧及び／又は電流を印加することにより、
水中に生息する鮫等の人的被害或いは食害を齎す生物を忌避する装置。
【請求項３】
該水中に生息する鮫等の人的被害或いは食害を齎す生物を忌避する装置に於いて、
該電源装置はモールド剤によって封入されてなり、
水中に投入した場合にも水に接触しないことを特徴とする、
請求項１又は２記載の水中に生息する鮫等の人的被害或いは食害を齎す生物を忌避する装置。
【請求項４】
該防水性を持つ部材に用いられる材料は、
合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかであることを特徴とする、
請求項１乃至３の何れか一に記載の水中に生息する鮫等の人的被害或いは食害を齎す生物を忌避する装置。
【請求項５】
該モールド剤は、
内部に封入された電源装置との間に気泡或いは空隙を残さないように注入形成されたことを特徴とする、
請求項１乃至４の何れか一に記載の水中に生息する鮫等の人的被害或いは食害を齎す生物を忌避する装置。
【請求項６】
該防水性を持つ部材に用いられる材料は、
射出成形により形成されたことを特徴とする、
請求項１乃至４の何れか一に記載の水中に生息する鮫等の人的被害或いは食害を齎す生物を忌避する装置。
【請求項７】
水中に生息する鮫等の人的被害或いは食害を齎す生物を忌避する装置であって、
粘弾性を有する材料よりなるチューブ状部材と、
該チューブ状部材の一部に設けられ或いは内蔵された電源装置と、
該チューブ状部材の外面の一部或いは全部に設けられた電極と、
該チューブ状部材から延伸する対向電極を備えた紐状の部材と、
該電源装置からの通電をオンオフするスイッチと、
該チューブ状部材を輪状に連接するジョイント部材を備え、
水中に投入して該電極間に電圧及び／又は電流を印加することにより、
水中に生息する鮫等の人的被害或いは食害を齎す生物を忌避する装置。
【請求項８】
水中に生息する鮫等の人的被害或いは食害を齎す生物を忌避する装置であって、
粘弾性を有する材料よりなるチューブ状部材と、
該チューブ状部材の一部に設けられ或いは内蔵された電源装置と、
該チューブ状部材の外面の一部に設けられた電極と、
該チューブ状部材の外面の他の一部に設けられた対向電極と、
該電源装置からの通電をオンオフするスイッチと、
該チューブ状部材を輪状に連接するジョイント部材を備え、
水中に投入して該電極間に電圧及び／又は電流を印加することにより、
水中に生息する鮫等の人的被害或いは食害を齎す生物を忌避する装置。
【請求項９】
該装置をマグロ等の魚類の釣りの際の食害を忌避するために用いるにあたり、
該装置は船上に於いては該スイッチがオフ且つ該ジョイント部材が連接されていない状態で保管され、
マグロ等の釣り対象魚が針にかかった後に該チューブ状部材を道糸を囲むように輪状にジョイント部材により連接し、
道糸をガイドにして釣り対象魚の近傍まで投入することを特徴とする、
請求項７又は８記載の水中に生息する鮫等の人的被害或いは食害を齎す生物を忌避する装置。
【請求項１０】
該チューブ状部材に用いる粘弾性を有する材料は、
合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかであることを特徴とする、
請求項７乃至９の何れか一に記載の水中に生息する鮫等の人的被害或いは食害を齎す生物を忌避する装置。
【請求項１１】
該チューブ状部材を輪状に連接した状態での輪の大きさは、
１０ｃｍ以上６０ｃｍ以下であることを特徴とする、
請求項７、９又は１０の何れか一に記載の水中に生息する鮫等の人的被害或いは食害を齎す生物を忌避する装置。
【請求項１２】
該チューブ状部材を輪状に連接した状態での輪の大きさは、
１５ｃｍ以上４０ｃｍ以下であることを特徴とする、
請求項１１記載の水中に生息する鮫等の人的被害或いは食害を齎す生物を忌避する装置。
【請求項１３】
該チューブ状部材を連接するためのジョイントは、
両端が相互に嵌合する構造としたことにより為されることを特徴とする、
請求項７乃至１３の何れか一に記載の水中に生息する鮫等の人的被害或いは食害を齎す生物を忌避する装置。
【請求項１４】
該チューブ状部材を連接するためのジョイントは、
ワンタッチジョイントを用いたことを特徴とする、
請求項１３記載の水中に生息する鮫等の人的被害或いは食害を齎す生物を忌避する装置。
【請求項１５】
該チューブ状部材を連接するためのジョイントは、
磁石により接合するする構造としたことにより為されることを特徴とする、
請求項７乃至１３の何れか一に記載の水中に生息する鮫等の人的被害或いは食害を齎す生物を忌避する装置。
【請求項１６】
該チューブ状部材を連接するためのジョイントに用いられる磁石は、
ネオジム磁石であることを特徴とする、
請求項１５記載の水中に生息する鮫等の人的被害或いは食害を齎す生物を忌避する装置。
【請求項１７】
該電源装置から延伸する対向電極を備えた紐状の部材の長さは、
３０ｃｍ以上３ｍ以下であることを特徴とする、
請求項１、３乃至７、或いは９乃至１６の何れか一に記載の水中に生息する鮫等の人的被害或いは食害を齎す生物を忌避する装置。
【請求項１８】
該電源装置から延伸する対向電極を備えた紐状の部材の長さは、
５０ｃｍ以上２m以下であることを特徴とする、
請求項１７記載の水中に生息する鮫等の人的被害或いは食害を齎す生物を忌避する装置。
【請求項１９】
該電極間に電圧を印加するための電源装置は、
電池を含んでなることを特徴とする、
請求項１乃至１８の何れか一に記載の水中に生息する鮫等の人的被害或いは食害を齎す生物を忌避する装置。
【請求項２０】
該電池は、
乾電池、ボタン型電池或いは充放電が可能な蓄電池であることを特徴とする、
請求項１９記載の水中に生息する鮫等の人的被害或いは食害を齎す生物を忌避する装置。
【請求項２１】
該水中に生息する鮫等の人的被害或いは食害を齎す生物を忌避する装置であって、
該装置に含まれる電源装置は水中での電磁界を制御するため、放電電圧を準備し、海中に放電することを特徴とする、
請求項１乃至２０の何れか一に記載の水中に生息する鮫等の人的被害或いは食害を齎す生物を忌避する装置。
【請求項２２】
該海中に放電される放電電圧は、
パルス電圧であることを特徴とする、
請求項２１記載の水中に生息する鮫等の人的被害或いは食害を齎す生物を忌避する装置。
【請求項２３】
該水中に生息する鮫等の人的被害或いは食害を齎す生物を忌避する装置であって、
該装置に含まれる電源装置は水中での電磁界を制御するため、放電電流を海中に出力することを特徴とする、
請求項１乃至２０の何れか一に記載の水中に生息する鮫等の人的被害或いは食害を齎す生物を忌避する装置。
【請求項２４】
該海中に放電される放電電流は、
パルス電流であることを特徴とする、
請求項２３記載の水中に生息する鮫等の人的被害或いは食害該装置に含まれる電源装置を齎す生物を忌避する装置。
【請求項２５】
該海中に放電される放電電圧或いは放電電流は、
そのパターンを変更することが可能であることを特徴とする、
請求項２１乃至２４の何れか一に記載の水中に生息する鮫等の人的被害或いは食害を齎す生物を忌避する装置。
【請求項２６】
該海中に放電される放電電圧或いは放電電流は、
そのパターンを変更することが可能であって、
且つ、使用時にフィールドでパターン変更が可能であることを特徴とする、
請求項２５記載の水中に生息する鮫等の人的被害或いは食害を齎す生物を忌避する装置。
【請求項２７】
該パターン変更機能は、
再プログラムできる機能を搭載することにより行われることを特徴とする、
請求項２６記載の水中に生息する鮫等の人的被害或いは食害を齎す生物を忌避する装置。
【請求項２８】
該パターン変更機能は、
プログラマブルハードウェアを搭載することにより行われることを特徴とする、
請求項２７記載の水中に生息する鮫等の人的被害或いは食害を齎す生物を忌避する装置。
【請求項２９】
該パターン変更機能は、
マイコン及び記録されるソフトウェアを搭載し、プログラムを書き換えることにより行われることを特徴とする、
請求項２７記載の水中に生息する鮫等の人的被害或いは食害を齎す生物を忌避する装置。
【請求項３０】
該海中に放電される放電電圧或いは放電電流は、
チャージポンプ或いはＤＣーＤＣコンバータにより生成されることを特徴とする、
請求項２１乃至２９の何れか一に記載の水中に生息する鮫等の人的被害或いは食害を齎す生物を忌避する装置。
【請求項３１】
該海中に放電される放電電圧或いは放電電流のパターンは、
そのパルス幅及び／又は周期が制御されることを特徴とする、
請求項２２、又は２４乃至３０の何れか一に記載の水中に生息する鮫等の人的被害或いは食害を齎す生物を忌避する装置。
【請求項３２】
該海中に放電される放電電圧或いは放電電流のパターンは、
そのパルス幅及び／又は周期が変更可能であることを特徴とする、
請求項２２、又は２４乃至３０の何れか一に記載の水中に生息する鮫等の人的被害或いは食害を齎す生物を忌避する装置。
【請求項３３】
該海中に放電される放電電圧或いは放電電流のパターンは、
そのパルス幅及び／又は周期がランダムに変更されることを特徴とする、
請求項２２、又は２４乃至３０の何れか一に記載の水中に生息する鮫等の人的被害或いは食害を齎す生物を忌避する装置。
【請求項３４】
該海中に放電される放電電圧或いは放電電流のパターンは、
そのパルス幅が０.１秒以上１秒以内であることを特徴とする、
請求項２２、又は２４乃至３３の何れか一に記載の水中に生息する鮫等の人的被害或いは食害を齎す生物を忌避する装置。
【請求項３５】
該海中に放電される放電電圧或いは放電電流のパターンは、
そのパルス幅が０.２秒以上０.７秒以内であることを特徴とする、
請求項３４記載の水中に生息する鮫等の人的被害或いは食害を齎す生物を忌避する装置。
【請求項３６】
該海中に放電される放電電圧或いは放電電流のパターンは、
その周期が０.５秒以上５秒以内であり、且つ、放電パルス幅の２倍以上であることを特徴とする、
請求項２２、又は２４乃至３５の何れか一に記載の水中に生息する鮫等の人的被害或いは食害を齎す生物を忌避する装置。
【請求項３７】
該海中に放電される放電電圧或いは放電電流のパターンは、
その周期が１秒以上４秒以内であり、且つ、放電パルス幅の２倍以上であることを特徴とする、
請求項３６記載の水中に生息する鮫等の人的被害或いは食害を齎す生物を忌避する装置。
【請求項３８】
該電源装置により供給される電圧は、
３V以上３０V以下であることを特徴とする、
請求項１乃至３７の何れか一に記載の水中に生息する鮫等の人的被害或いは食害を齎す生物を忌避する装置。
【請求項３９】
該電極間に電圧を印加するための電源装置により供給されるパルス電圧或いはパルス電流は、
モールス信号を兼ねるように設定されていることを特徴とする、
請求項３８記載の水中に生息する鮫等の人的被害或いは食害を齎す生物を忌避する装置。
【請求項４０】
該電源装置からの通電をオンオフするスイッチは、
水中に投入された場合にセンサーが反応してオンとなる構成であることを特徴とする、
請求項１乃至３９の何れか一に記載の水中に生息する鮫等の人的被害或いは食害を齎す生物を忌避する装置。
【請求項４１】
該装置をサーフィン、ダイビング、スノーケリング海水浴等の海洋レジャー時の鮫等による人的被害を忌避するために用いるにあたり、
該装置は使用者の腕、脚等に装着、救命胴衣やウェットスーツ等の装備に装着或いはサーフボード等の器具に設置して用いることを特徴とする、
請求項１乃至４０の何れか一に記載の水中に生息する鮫等の人的被害或いは食害を齎す生物を忌避する装置。
【請求項４２】
該防水性を持つ部材及びモールド部材、或いはチューブ状部材は透光性を有し、
且つ、回路上に発光素子を備え、
該発光素子の発光により内部状態を確認可能であることを特徴とする、
請求項１乃至４１の何れか一に記載の水中に生息する鮫等の人的被害或いは食害を齎す生物を忌避する装置。
【請求項４３】
該発光素子は、
ＬＥＤ素子であることを特徴とする、
請求項４２記載の水中に生息する鮫等の人的被害或いは食害を齎す生物を忌避する装置。
【請求項４４】
該発光素子は、
ＬＥＤ素子であって、非常時に位置を知らせるための機能を兼ねることを特徴とする、
請求項４３記載の水中に生息する鮫等の人的被害或いは食害を齎す生物を忌避する装置。
【請求項４５】
該電極間に電圧を印加するための電源装置からの通電をオンオフするスイッチは、
水中に投入された場合にセンサーが反応してオンとなる構成であることを特徴とする、
請求項１乃至４４の何れか一に記載の水中に生息する鮫等の人的被害或いは食害を齎す生物を忌避する装置。
【請求項４６】
該防水性を持つ部材は、
一端が略ドーム形に成形された略円筒形をなし、
釣具、漁具等とともに用い、或いは身体、ウェットスーツ、ライフジャケット、マリンレジャー用器具等に装着して用いることを特徴とする、
請求項１乃至６、或いは１７乃至４５の何れか一に記載の水中に生息する鮫等の人的被害或いは食害を齎す生物を忌避する装置。
【請求項４７】
該防水性を持つ部材は、
円盤状に成形され且つベルトを備え、
マリンレジャーの際に腕時計のように装着して用いることを特徴とする、
請求項１乃至６、或いは１７乃至４５の何れか一に記載の水中に生息する鮫等の人的被害或いは食害を齎す生物を忌避する装置。
【請求項４８】
該電極間に電圧を印加するための電源装置からの通電をオンオフするスイッチは、
該チューブ状部材を連接するためのジョイントが連接されることによりオンとなる構成であることを特徴とする、
請求項７乃至４４の何れか一に記載の水中に生息する鮫等の人的被害或いは食害を齎す生物を忌避する装置。
【請求項４９】
該装置をマグロ等の魚類の釣りの際の食害を忌避するために用いるにあたり、
該チューブ状部材を輪状に連接した本体は、投入後に対象魚の頭部に嵌ることにより鰓蓋の動きを制限し、対象魚の活動を規制することを特徴とする、
請求項７乃至４４、或いは４８の何れか一に記載の水中に生息する鮫等の人的被害或いは食害を齎す生物を忌避する装置。
【請求項５０】
該装置をサーフィン、ダイビング、スノーケリング海水浴等の海洋レジャー時の鮫等による人的被害を忌避するために用いるにあたり、
該装置は使用者の腕、脚等に装着、救命胴衣やウェットスーツ等の装備に装着或いはサーフボード等の器具に設置して用いることを特徴とする、
請求項７乃至４４、或いは４８又は４９の何れか一に記載の水中に生息する鮫等の人的被害或いは食害を齎す生物を忌避する装置。
【請求項５１】
水中に生息する鮫等の人的被害或いは食害を齎す生物を忌避する装置の使用方法であって、
防水性を持つ部材に封入された電源装置と、
該防水性を持つ部材の外面の一部或いは全部に設けられた電極と、
該防水性を持つ部材から延伸する対向電極を備えた紐状の部材と、
該電源装置からの通電をオンオフするスイッチを備え、
水中に投入、身体や装具に装着或いはレジャー器具等に装備して該電極間に電圧及び／又は電流を印加することにより、
特定の生物を忌避することを特徴とする、
水中に生息する鮫等の人的被害或いは食害を齎す生物を忌避する装置の使用方法。
【請求項５２】
水中に生息する鮫等の人的被害或いは食害を齎す生物を忌避する装置の使用方法であって、
防水性を持つ部材に封入された電源装置と、
該防水性を持つ部材の外面の一部に設けられた電極と、
該防水性を持つ部材の外面の他の一部に設けられた対向電極と、
該電源装置からの通電をオンオフするスイッチを備え、
水中に投入、身体や装具に装着或いはレジャー器具等に装備して該電極間に電圧及び／又は電流を印加することにより、
特定の生物を忌避することを特徴とする、
水中に生息する鮫等の人的被害或いは食害を齎す生物を忌避する装置の使用方法。
【請求項５３】
該水中に生息する鮫等の人的被害或いは食害を齎す生物を忌避する装置に於いて、
該電源装置はモールド剤によって封入されてなり、
水中に投入した場合にも水に接触しないことを特徴とする、
請求項５１又は５２記載の水中に生息する鮫等の人的被害或いは食害を齎す生物を忌避する装置の使用方法。
【請求項５４】
該防水性を持つ部材に用いられる材料は、
合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかであることを特徴とする、
請求項５１乃至５３の何れか一に記載の水中に生息する鮫等の人的被害或いは食害を齎す生物を忌避する装置の使用方法。
【請求項５５】
該モールド剤は、
内部に封入された電源装置との間に気泡或いは空隙を残さないように注入形成されたことを特徴とする、
請求項５１乃至５４の何れか一に記載の水中に生息する鮫等の人的被害或いは食害を齎す生物を忌避する装置の使用方法。
【請求項５６】
該防水性を持つ部材に用いられる材料は、
射出成形により形成されたことを特徴とする、
請求項５１乃至５４の何れか一に記載の水中に生息する鮫等の人的被害或いは食害を齎す生物を忌避する装置の使用方法。
【請求項５７】
水中に生息する鮫等の人的被害或いは食害を齎す生物を忌避する装置の使用方法であって、
粘弾性を有する材料よりなるチューブ状部材と、
該チューブ状部材の一部に設けられ或いは内蔵された電源装置と、
該チューブ状部材の外面の一部或いは全部に設けられた電極と、
該チューブ状部材から延伸する対向電極を備えた紐状の部材と、
該電源装置からの通電をオンオフするスイッチと、
該チューブ状部材を輪状に連接するジョイント部材を備え、
水中に投入して該電極間に電圧及び／又は電流を印加することにより、
特定の生物を忌避することを特徴とする、
水中に生息する鮫等の人的被害或いは食害を齎す生物を忌避する装置の使用方法。
【請求項５８】
水中に生息する鮫等の人的被害或いは食害を齎す生物を忌避する装置の使用方法であって、
粘弾性を有する材料よりなるチューブ状部材と、
該チューブ状部材の一部に設けられ或いは内蔵された電源装置と、
該チューブ状部材の外面の一部に設けられた電極と、
該チューブ状部材の外面の他の一部に設けられた対向電極と、
該電源装置からの通電をオンオフするスイッチと、
該チューブ状部材を輪状に連接するジョイント部材を備え、
水中に投入して該電極間に電圧及び／又は電流を印加することにより、
特定の生物を忌避することを特徴とする、
水中に生息する鮫等の人的被害或いは食害を齎す生物を忌避する装置の使用方法。
【請求項５９】
該装置をマグロ等の魚類の釣りの際の食害を忌避するために用いるにあたり、
該装置は船上に於いては該スイッチがオフ且つ該ジョイント部材が連接されていない状態で保管され、
マグロ等の釣り対象魚が針にかかった後に該チューブ状部材を道糸を囲むように輪状にジョイント部材により連接し、
道糸をガイドにして釣り対象魚の近傍まで投入することを特徴とする、
請求項５７又は５８記載の水中に生息する鮫等の人的被害或いは食害を齎す生物を忌避する装置。
【請求項６０】
該チューブ状部材に用いる粘弾性を有する材料は、
合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかであることを特徴とする、
請求項５７乃至５９の何れか一に記載の水中に生息する鮫等の人的被害或いは食害を齎す生物を忌避する装置の使用方法。
【請求項６１】
該チューブ状部材を輪状に連接した状態での輪の大きさは、
１０ｃｍ以上６０ｃｍ以下であることを特徴とする、
請求項５７、５９又は６０の何れか一に記載の水中に生息する鮫等の人的被害或いは食害を齎す生物を忌避する装置の使用方法。
【請求項６２】
該チューブ状部材を輪状に連接した状態での輪の大きさは、
１５ｃｍ以上４０ｃｍ以下であることを特徴とする、
請求項６１記載の水中に生息する鮫等の人的被害或いは食害を齎す生物を忌避する装置の使用方法。
【請求項６３】
該チューブ状部材を連接するためのジョイントは、
両端が相互に嵌合する構造としたことにより為されることを特徴とする、
請求項５７乃至６３の何れか一に記載の水中に生息する鮫等の人的被害或いは食害を齎す生物を忌避する装置の使用方法。
【請求項６４】
該チューブ状部材を連接するためのジョイントは、
ワンタッチジョイントを用いたことを特徴とする、
請求項６３記載の水中に生息する鮫等の人的被害或いは食害を齎す生物を忌避する装置の使用方法。
【請求項６５】
該チューブ状部材を連接するためのジョイントは、
磁石により接合するする構造としたことにより為されることを特徴とする、
請求項５７乃至６３の何れか一に記載の水中に生息する鮫等の人的被害或いは食害を齎す生物を忌避する装置の使用方法。
【請求項６６】
該チューブ状部材を連接するためのジョイントに用いられる磁石は、
ネオジム磁石であることを特徴とする、
請求項６５記載の水中に生息する鮫等の人的被害或いは食害を齎す生物を忌避する装置の使用方法。
【請求項６７】
該電源装置から延伸する対向電極を備えた紐状の部材の長さは、
３０ｃｍ以上３ｍ以下であることを特徴とする、
請求項５１、５３乃至５７、或いは５９乃至６６の何れか一に記載の水中に生息する鮫等の人的被害或いは食害を齎す生物を忌避する装置の使用方法。
【請求項６８】
該電源装置から延伸する対向電極を備えた紐状の部材の長さは、
５０ｃｍ以上２m以下であることを特徴とする、
請求項６７記載の水中に生息する鮫等の人的被害或いは食害を齎す生物を忌避する装置の使用方法。
【請求項６９】
該電極間に電圧を印加するための電源装置は、
電池を含んでなることを特徴とする、
請求項５１乃至６８の何れか一に記載の水中に生息する鮫等の人的被害或いは食害を齎す生物を忌避する装置の使用方法。
【請求項７０】
該電池は、
乾電池、ボタン型電池或いは充放電が可能な蓄電池であることを特徴とする、
請求項６９記載の水中に生息する鮫等の人的被害或いは食害を齎す生物を忌避する装置の使用方法。
【請求項７１】
該水中に生息する鮫等の人的被害或いは食害を齎す生物を忌避する装置であって、
該装置に含まれる電源装置は水中での電磁界を制御するため、放電電圧を準備し、海中に放電することを特徴とする、
請求項５１乃至７０の何れか一に記載の水中に生息する鮫等の人的被害或いは食害を齎す生物を忌避する装置の使用方法。
【請求項７２】
該海中に放電される放電電圧は、
パルス電圧であることを特徴とする、
請求項７１記載の水中に生息する鮫等の人的被害或いは食害を齎す生物を忌避する装置の使用方法。
【請求項７３】
該水中に生息する鮫等の人的被害或いは食害を齎す生物を忌避する装置であって、
該装置に含まれる電源装置は水中での電磁界を制御するため、放電電流を海中に出力することを特徴とする、
請求項５１乃至７０の何れか一に記載の水中に生息する鮫等の人的被害或いは食害を齎す生物を忌避する装置の使用方法。
【請求項７４】
該海中に放電される放電電流は、
パルス電流であることを特徴とする、
請求項７３記載の水中に生息する鮫等の人的被害或いは食害該装置に含まれる電源装置を齎す生物を忌避する装置の使用方法。
【請求項７５】
該海中に放電される放電電圧或いは放電電流は、
そのパターンを変更することが可能であることを特徴とする、
請求項７１乃至７４の何れか一に記載の水中に生息する鮫等の人的被害或いは食害を齎す生物を忌避する装置の使用方法。
【請求項７６】
該海中に放電される放電電圧或いは放電電流は、
そのパターンを変更することが可能であって、
且つ、使用時にフィールドでパターン変更が可能であることを特徴とする、
請求項７５記載の水中に生息する鮫等の人的被害或いは食害を齎す生物を忌避する装置の使用方法。
【請求項７７】
該パターン変更機能は、
再プログラムできる機能を搭載することにより行われることを特徴とする、
請求項７６記載の水中に生息する鮫等の人的被害或いは食害を齎す生物を忌避する装置の使用方法。
【請求項７８】
該パターン変更機能は、
プログラマブルハードウェアを搭載することにより行われることを特徴とする、
請求項７７記載の水中に生息する鮫等の人的被害或いは食害を齎す生物を忌避する装置の使用方法。
【請求項７９】
該パターン変更機能は、
マイコン及び記録されるソフトウェアを搭載し、プログラムを書き換えることにより行われることを特徴とする、
請求項７７記載の水中に生息する鮫等の人的被害或いは食害を齎す生物を忌避する装置の使用方法。
【請求項８０】
該海中に放電される放電電圧或いは放電電流は、
チャージポンプ或いはＤＣーＤＣコンバータにより生成されることを特徴とする、
請求項７１乃至７９の何れか一に記載の水中に生息する鮫等の人的被害或いは食害を齎す生物を忌避する装置の使用方法。
【請求項８１】
該海中に放電される放電電圧或いは放電電流のパターンは、
そのパルス幅及び／又は周期が制御されることを特徴とする、
請求項７２、又は７４乃至８０の何れか一に記載の水中に生息する鮫等の人的被害或いは食害を齎す生物を忌避する装置の使用方法。
【請求項８２】
該海中に放電される放電電圧或いは放電電流のパターンは、
そのパルス幅及び／又は周期が変更可能であることを特徴とする、
請求項７２、又は７４乃至８０の何れか一に記載の水中に生息する鮫等の人的被害或いは食害を齎す生物を忌避する装置の使用方法。
【請求項８３】
該海中に放電される放電電圧或いは放電電流のパターンは、
そのパルス幅及び／又は周期がランダムに変更されることを特徴とする、
請求項７２、又は７４乃至８０の何れか一に記載の水中に生息する鮫等の人的被害或いは食害を齎す生物を忌避する装置の使用方法。
【請求項８４】
該海中に放電される放電電圧或いは放電電流のパターンは、
そのパルス幅が０.１秒以上１秒以内であることを特徴とする、
請求項７２、又は７４乃至８３の何れか一に記載の水中に生息する鮫等の人的被害或いは食害を齎す生物を忌避する装置の使用方法。
【請求項８５】
該海中に放電される放電電圧或いは放電電流のパターンは、
そのパルス幅が０.２秒以上０.７秒以内であることを特徴とする、
請求項８４記載の水中に生息する鮫等の人的被害或いは食害を齎す生物を忌避する装置の使用方法。
【請求項８６】
該海中に放電される放電電圧或いは放電電流のパターンは、
その周期が０.５秒以上５秒以内であり、且つ、放電パルス幅の２倍以上であることを特徴とする、
請求項７２、又は７４乃至８５の何れか一に記載の水中に生息する鮫等の人的被害或いは食害を齎す生物を忌避する装置の使用方法。
【請求項８７】
該海中に放電される放電電圧或いは放電電流のパターンは、
その周期が１秒以上４秒以内であり、且つ、放電パルス幅の２倍以上であることを特徴とする、
請求項８６記載の水中に生息する鮫等の人的被害或いは食害を齎す生物を忌避する装置の使用方法。
【請求項８８】
該電源装置により供給される電圧は、
３V以上３０V以下であることを特徴とする、
請求項５１乃至８７の何れか一に記載の水中に生息する鮫等の人的被害或いは食害を齎す生物を忌避する装置の使用方法。
【請求項８９】
該電極間に電圧を印加するための電源装置により供給されるパルス電圧或いはパルス電流は、
モールス信号を兼ねるように設定されていることを特徴とする、
請求項８８記載の水中に生息する鮫等の人的被害或いは食害を齎す生物を忌避する装置の使用方法。
【請求項９０】
該電源装置からの通電をオンオフするスイッチは、
水中に投入された場合にセンサーが反応してオンとなる構成であることを特徴とする、
請求項５１乃至８９の何れか一に記載の水中に生息する鮫等の人的被害或いは食害を齎す生物を忌避する装置の使用方法。
【請求項９１】
該装置をサーフィン、ダイビング、スノーケリング海水浴等の海洋レジャー時の鮫等による人的被害を忌避するために用いるにあたり、
該装置は使用者の腕、脚等に装着、救命胴衣やウェットスーツ等の装備に装着或いはサーフボード等の器具に設置して用いることを特徴とする、
請求項５１乃至９０の何れか一に記載の水中に生息する鮫等の人的被害或いは食害を齎す生物を忌避する装置の使用方法。
【請求項９２】
該防水性を持つ部材及びモールド部材、或いはチューブ状部材は透光性を有し、
且つ、回路上に発光素子を備え、
該発光素子の発光により内部状態を確認可能であることを特徴とする、
請求項５１乃至９１の何れか一に記載の水中に生息する鮫等の人的被害或いは食害を齎す生物を忌避する装置の使用方法。
【請求項９３】
該発光素子は、
ＬＥＤ素子であることを特徴とする、
請求項９２記載の水中に生息する鮫等の人的被害或いは食害を齎す生物を忌避する装置の使用方法。
【請求項９４】
該発光素子は、
ＬＥＤ素子であって、非常時に位置を知らせるための機能を兼ねることを特徴とする、
請求項９３記載の水中に生息する鮫等の人的被害或いは食害を齎す生物を忌避する装置の使用方法。
【請求項９５】
該電極間に電圧を印加するための電源装置からの通電をオンオフするスイッチは、
水中に投入された場合にセンサーが反応してオンとなる構成であることを特徴とする、
請求項５１乃至９４の何れか一に記載の水中に生息する鮫等の人的被害或いは食害を齎す生物を忌避する装置の使用方法。
【請求項９６】
該防水性を持つ部材は、
一端が略ドーム形に成形された略円筒形をなし、
釣具、漁具等とともに用い、或いは身体、ウェットスーツ、ライフジャケット、マリンレジャー用器具等に装着して用いることを特徴とする、
請求項５１乃至５６、或いは６７乃至９５の何れか一に記載の水中に生息する鮫等の人的被害或いは食害を齎す生物を忌避する装置の使用方法。
【請求項９７】
該防水性を持つ部材は、
円盤状に成形され且つベルトを備え、
マリンレジャーの際に腕時計のように装着して用いることを特徴とする、
請求項５１乃至５６、或いは６７乃至９５の何れか一に記載の水中に生息する鮫等の人的被害或いは食害を齎す生物を忌避する装置の使用方法。
【請求項９８】
該電極間に電圧を印加するための電源装置からの通電をオンオフするスイッチは、
該チューブ状部材を連接するためのジョイントが連接されることによりオンとなる構成であることを特徴とする、
請求項５７乃至９４の何れか一に記載の水中に生息する鮫等の人的被害或いは食害を齎す生物を忌避する装置の使用方法。
【請求項９９】
該装置をマグロ等の魚類の釣りの際の食害を忌避するために用いるにあたり、
該チューブ状部材を輪状に連接した本体は、投入後に対象魚の頭部に嵌ることにより鰓蓋の動きを制限し、対象魚の活動を規制することを特徴とする、
請求項５７乃至９４、或いは９８の何れか一に記載の水中に生息する鮫等の人的被害或いは食害を齎す生物を忌避する装置の使用方法。
【請求項１００】
該装置をサーフィン、ダイビング、スノーケリング海水浴等の海洋レジャー時の鮫等による人的被害を忌避するために用いるにあたり、
該装置は使用者の腕、脚等に装着、救命胴衣やウェットスーツ等の装備に装着或いはサーフボード等の器具に設置して用いることを特徴とする、
請求項５７乃至９４、或いは９８又は９９の何れか一に記載の水中に生息する鮫等の人的被害或いは食害を齎す生物を忌避する装置の使用方法。